(57)【要約】【課題】筆記動作から擦過動作への持ち替え動作を最小限にしつつ安定した擦過動作が可能である筆記具であって、十分な接触面積が得られる消去部材を備えた筆記具を提供する。【解決手段】筆記具１が、軸筒２と、軸筒２内に配置され且つ一端に筆記部５ａを有する筆記体５と、消去部材３と、を具備し、消去部材３は、軸筒２の前端に設けられ且つ筆記部５ａが突出可能な貫通孔３ａが形成され、消去部材３の一部が、軸線方向前方に向かって延在する突出部３ｆを形成している。また、筆記具１は、消去部材３が軸線に対して傾斜して形成された傾斜面３ｅを有し、傾斜面３ｅが突出部３ｆを画成し、貫通孔３ａが傾斜面に形成されている。【選択図】図１
2015036192.tif 000002
【特許請求の範囲】
【請求項１】
軸筒と、該軸筒内に配置され且つ一端に筆記部を有する筆記体と、消去部材と、を具備する筆記具であって、
前記消去部材は、前記軸筒の前端に設けられ且つ前記筆記部が突出可能な貫通孔が形成され、前記消去部材の一部が、軸線方向前方に向かって延在する突出部を形成していることを特徴とする筆記具。
【請求項２】
前記消去部材が軸線に対して傾斜して形成された傾斜面を有し、該傾斜面が前記突出部を画成し、前記貫通孔が前記傾斜面に形成されていることを特徴とする請求項１に記載の筆記具。
【請求項３】
前記突出部の前端部が、軸線方向において、前記貫通孔から突出する前記筆記部の先端を越えることなく近傍まで延在していることを特徴とする請求項１又は２に記載の筆記具。
【請求項４】
当該筆記具が熱変色性筆記具であり、前記消去部材が、擦過した際に生じる摩擦熱によって当該筆記具の筆跡を熱変色可能であることを特徴とする請求項１から３のいずれか１項に記載の筆記具。
【請求項５】
前記筆記体が前記軸筒内に前後方向に移動可能に配置され、前記筆記部が前記軸筒の一端から突出した筆記状態と前記筆記部が軸筒内に没入した非筆記状態とを切り替える操作部をさらに具備することを特徴とする請求項１から４のいずれか１項に記載の筆記具。
【請求項６】
前記突出部の前端面に、凹部又は貫通孔が形成されていることを特徴とする請求項１から５のいずれか１項に記載の筆記具。
【発明の詳細な説明】
【技術分野】
【０００１】
本発明は、消去部材を備えた筆記具、特に熱変色性インクによる筆跡を擦過して変色又は消色する消去部材を備えた筆記具に関する。
【背景技術】
【０００２】
消しゴム付き鉛筆のように、筆記具によって筆記面等に描かれた筆跡をその筆記具に備わる消去部材によって消去可能とする構成が周知である。特に、熱変色性インクを収容する熱変色性筆記具においては、消去部材として、筆跡を擦過し摩擦熱を生じさせる摩擦体を備えた構成が公知である（特許文献１）。
【０００３】
特許文献１の熱変色性筆記具は、いわゆるノック式の筆記具であり、その先端側に摩擦体が設けられている。それによって、ペン先である筆記部を用いた筆記動作と摩擦体を用いた擦過動作とを切り替える際に、後端に消しゴムが取り付けられた消しゴム付き鉛筆のように、筆記具を回転させるように持ち替える必要がなく、より簡単に筆跡を変色又は消去することができる。
【０００４】
しかしながら、特許文献１に記載の熱変色性筆記具は、筆記部を突出させた状態から擦過動作をするためには、摩擦体の部分が筆記具の先端となるように、ノック操作をすることによって筆記部を軸筒内に没入させなければならない。または、筆記部を突出させた状態で擦過動作をするためには、筆記具を筆記面に対して著しく傾斜させることによって、摩擦体が筆記面と当接するようにしなければならない。
【０００５】
そこで、筆記具を回転させるような持ち替え動作やノック操作をすることなく擦過動作ができるように、筆記部に消去部材を設けた筆記具が公知である（特許文献２及び特許文献３）。
【先行技術文献】
【特許文献】
【０００６】
【特許文献１】特開２０１３−２８１７６号公報
【特許文献２】特開２０１２−３０４４７号公報
【特許文献３】特開２０１３−１１１９５２号公報
【発明の概要】
【発明が解決しようとする課題】
【０００７】
特許文献２及び特許文献３に記載された筆記具では、擦過動作時において、消去部材の筆記面に対する接触面積が、形状に起因して筆跡に対して小さい場合がある。
【０００８】
本発明は、筆記動作から擦過動作への持ち替え動作を最小限にしつつ安定した擦過動作が可能である筆記具であって、十分な接触面積が得られる消去部材を備えた筆記具を提供することを目的とする。
【課題を解決するための手段】
【０００９】
請求項１に記載の発明によれば、軸筒と、該軸筒内に配置され且つ一端に筆記部を有する筆記体と、消去部材と、を具備する筆記具であって、前記消去部材は、前記軸筒の前端に設けられ且つ前記筆記部が突出可能な貫通孔が形成され、前記消去部材の一部が、軸線方向前方に向かって延在する突出部を形成していることを特徴とする筆記具が提供される。なお、筆記具の軸線方向において、筆記部側を「前」側と規定し、筆記部とは反対側を「後」側と規定する。
【００１０】
また、請求項２に記載の発明によれば請求項１に記載の発明において、前記消去部材が軸線に対して傾斜して形成された傾斜面を有し、該傾斜面が前記突出部を画成し、前記貫通孔が前記傾斜面に形成されていることを特徴とする筆記具が提供される。
【００１１】
また、請求項３に記載の発明によれば請求項１又は２に記載の発明において、前記突出部の前端部が、軸線方向において、前記貫通孔から突出する前記筆記部の先端を越えることなく近傍まで延在していることを特徴とする筆記具が提供される。
【００１２】
また、請求項４に記載の発明によれば請求項１から３のいずれか１つに記載の発明において、当該筆記具が熱変色性筆記具であり、前記消去部材が、擦過した際に生じる摩擦熱によって当該筆記具の筆跡を熱変色可能であることを特徴とする筆記具が提供される。
【００１３】
また、請求項５に記載の発明によれば請求項１から４のいずれか１つに記載の発明において、前記筆記体が前記軸筒内に前後方向に移動可能に配置され、前記筆記部が前記軸筒の一端から突出した筆記状態と前記筆記部が軸筒内に没入した非筆記状態とを切り替える操作部をさらに具備することを特徴とする筆記具が提供される。また、前記操作部が、前記軸筒の前端以外の部位に設けられていることを特徴とする筆記具が提供される。
【００１４】
また、請求項６に記載の発明によれば請求項１から５のいずれか１つに記載の発明において、前記突出部の前端面に、凹部又は貫通孔が形成されていることを特徴とする筆記具が提供される。
【発明の効果】
【００１５】
各請求項に記載の発明によれば、従来のいわゆるノック式筆記具における、一般的である軸筒の前端孔から筆記部を出没させる形態を行わないことにより、筆記動作から擦過動作への持ち替え動作を最小限にしつつ安定した擦過動作が可能である筆記具であって、十分な接触面積が得られる消去部材を備えた筆記具を提供するという共通の効果を奏する。
【図面の簡単な説明】
【００１６】
【図１】本発明の第１実施形態による筆記具の筆記状態の斜視図である。
【図２】図１の筆記具の筆記状態の正面図である。
【図３】図１の筆記具の筆記状態の縦断面図である。
【図４】図１の筆記具の口先部材の斜視図である。
【図５】図４の口先部材の縦断面図である。
【図６】本発明の第２実施形態による筆記具の筆記状態の縦断面図である。
【図７】図６の筆記具の口先部材の斜視図である。
【図８】図７の口先部材の縦断面図である。
【発明を実施するための形態】
【００１７】
以下、図面を参照しながら本発明の実施の形態を詳細に説明する。全図面に渡り、対応する構成要素には共通の参照符号を付す。
【００１８】
図１は、本発明の第１実施形態による筆記具１の筆記状態の斜視図であり、図２は、図１の筆記具１の筆記状態の正面図であり、図３は、図１の筆記具１の筆記状態の縦断面図である。
【００１９】
筆記具１は、筒状に形成された軸筒２と、後端部が軸筒２の前端部に螺合する口先部材３と、前端部が軸筒２の後端部に螺合する筒状に形成された内筒４と、軸筒２内に配置され且つ一端に筆記部５ａを備えた筆記体であるリフィル５とを有している。口先部材３は、リフィル５の筆記部５ａを突出させるための貫通孔３ａが形成されている。また、口先部材３は、後述するように、筆記具１による筆跡を消去する消去部材として機能する。
【００２０】
本明細書中では、筆記具１の軸線方向において、筆記部５ａ側を「前」側と規定し、筆記部５ａとは反対側を「後」側と規定する。また、筆記具１は、後述するノック機構によって、軸筒２内でリフィル５が前後方向に摺動する。このとき、筆記部５ａが口先部材３の貫通孔３ａから突出した状態を筆記状態（図２及び図３）と称し、筆記部５ａが口先部材３内に没入した状態を非筆記状態（図示せず）と称す。
【００２１】
内筒４は、外周面に、軸線方向に延びるクリップ６が形成され、筆記具１をポケットや手帳等に挟持させることが可能となっている。内筒４の内面には、径方向内側に突出し且つ軸筒２の軸線方向に沿って延びる複数のカム部４ａが、周方向に沿って等間隔に形成されている。軸筒２及び内筒４は、例えばポリカーボネート樹脂等といった比較的硬質の樹脂材料から形成される。
【００２２】
ノック機構７は、内筒４内に前後方向に移動可能に配置された回転子８と、内筒４内に後端から突出して且つ前後方向に移動可能な操作部９とを有する公知の機構である。ノック機構７は、リフィル５と共にスプリング１０によって後方へ付勢されている。ノック操作は、操作部９を前方に向かって押圧することによって行われる。
【００２３】
ノック操作を行うと、操作部９の移動によって回転子８が前方へ押圧され、回転子８と内筒４のカム部４ａの前端面とが係止し、筆記具１は筆記状態（図２及び図３）を維持する。再びノック操作を行うと、操作部９の移動によって回転子８が前方へ押圧され、回転子８と内筒４のカム部４ａの前端面との係止が解除される。このため、スプリング１０の付勢力によってノック機構７が後方へ移動し、筆記具１は非筆記状態となる。
【００２４】
言い換えると、筆記具１は、リフィル５が軸筒２内に前後方向に移動可能に配置され、筆記部５ａが軸筒２の一端から突出した筆記状態と筆記部５ａが軸筒２内に没入した非筆記状態とを、操作部９のノック操作によって切り替えられる。
【００２５】
図４は、図１の筆記具１の口先部材３の斜視図であり、図５は、図４の口先部材３の縦断面図である。口先部材３は、軸筒２と螺合する筒状の基部３ｂと、基部３ｂの前方に設けられた消去部３ｃとを有している。消去部３ｃは、前方へ向かって先細で且つ前端面３ｄを有する略截頭円錐状の外形を有している。略截頭円錐状の消去部３ｃの外周面には、軸線、すなわち筆記具１の軸線に対して傾斜する傾斜面３ｅが形成されている。その結果、傾斜面３ｅは、口先部材３、すなわち消去部３ｃにおいて、軸線方向前方に向かって延在する中実の突出部３ｆを画成している。そして、上述したように、筆記部５ａが突出する口先部材３の貫通孔３ａは、傾斜面３ｅに形成されている。言い換えると、口先部材３の前端部より外れた箇所に、貫通孔３ａが形成されており、従って、突出部３ｆは、貫通孔３ａを越えて前方へ延在している。
【００２６】
口先部材３の突出部３ｆの前端部、すなわち前端面３ｄは、貫通孔３ａから突出する筆記部５ａの先端を越えることなく、その近傍まで延在している。例えば、図２を参照すると、突出部３ｆの前端面３ｄは、軸線方向において、筆記部５ａの先端近傍のテーパ面５ｂまで延在している。筆記部５ａの先端と突出部３ｆの前端面３ｄとの軸線方向の距離は、例えば４〜５ｍｍである。
【００２７】
消去部３ｃは、筆記具１による筆跡を消去するように形成されていることから、口先部材３は、全体として筆記具１の消去部材として機能する。なお、傾斜面３ｅは、平面状に形成されてもよいが、後述するように筆記部５ａの視認性を維持するために、図５に示されるような凹曲面状の縦断面を有するように形成することが望ましい。また、口先部材３とは別にクリップ６や操作部９を消去部材としてもよい。クリップ６や操作部９を消去部材とすることで、消去面積の切替を容易とし、消去効率を向上することができる。
【００２８】
リフィル５として、熱変色インクを収容したボールペン、熱変色芯を収容したシャープペンシル、鉛筆ホルダ等を使用することができる。本実施形態におけるリフィル５は、熱変色性インクを収容する。従って、筆記具１は熱変色性筆記具であり、消去部材である口先部材３の消去部３ｃの突出部３ｆによって擦過した際に生じる摩擦熱によって、筆記具１の筆跡を熱変色可能である。
【００２９】
熱変色性インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクを言う。熱変色性インクを用いた筆記具１では上記第２色を無色とし、第１色（例えば赤）で筆記した描線を昇温させて無色とすることを、ここでは「消去する」ということとする。従って、描線が筆記された筆記面等に対して摩擦体としての消去部材である口先部材３によって擦過して摩擦熱を生じさせ、それによって描線を無色に変化、すなわち消去させる。なお、当然のことながら上記第２色は、無色以外の有色でもよい。
【００３０】
口先部材３の消去部３ｃを形成する材料として、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物、市販されている消しゴム等が挙げられる。口先部材３の消去部３ｃは、特にポリプロピレン樹脂及びスチレン系熱可塑性エラストマーの混合物、またはポリプロピレン樹脂及びポリプロピレン系熱可塑性エラストマーの混合物から形成され、その配合比率がそれぞれ重量比で１：１〜１：４であり、研磨剤、可塑剤、充填剤を含有せず、ＪＩＳ  Ｋ６２５１に規定されたデュロメータ硬度Ａが７０°〜１００°となる材質からなり、ＪＩＳ  Ｓ  ６０５０−２００２に規定する鉛筆描線の消し能力（消字率）が７０％以下のものである可塑剤を含有しない低摩耗性の弾性材料から形成される。それによって、口先部材３の消去部３ｃは、擦過時に消しカスが生じにくく、熱変色性も優れているので有効である。
【００３１】
なお、本発明における「消去」とは、上記熱変色性インクを用いた場合以外にも、筆記した描線、文字等を消しゴム等の消去部材で吸着又は削ぎ落とすことをいう。従って、本発明は、筆記した描線を、消去部を用いて消去する任意の筆記具にも適用可能である。
【００３２】
口先部材３の基部３ｂは、軸筒２との螺合を確実にして擦過動作時に消去部３ｃを安定的に支持するために、ポリアセタールやＡＢＳ等の硬質プラスチック樹脂から形成されている。口先部材３の基部３ｂ及び消去部３ｃは、二色成形等による一体成形や同種材料による一体成形にしてもよい。また、口先部材３と軸筒２とを多色成形等による一体成形や同種材料による一体成形としてもよい。
【００３３】
次に、筆記具１の使用方法について説明する。筆記具で筆記をするためには、一方の手で筆記具を把持し、通常、筆記面に対して筆記具の軸線を傾斜させた状態で筆記が行われる。従って、本発明の実施形態による筆記具１は、筆記動作時に、口先部材３の突出部３ｆが筆記部５ａよりも先に筆記面に当接して筆記動作を阻害しないように、把持される必要がある。従って、筆記具１は、口先部材３の突出部３ｆが、筆記部５ａに対して上方又は左右に配置されるように、言い換えると筆記部５ａ下方の筆記面近傍に配置されないように把持される。
【００３４】
他方、筆記具１による筆跡を消去する擦過動作時には、筆記動作時の把持の状態から、筆記具１を軸線周りに回転させるように軽く持ち替える。すなわち、筆記具１は、筆記動作時と同様に筆記具１の軸線を傾斜させて把持され、口先部材３の突出部３ｆが、筆記部５ａ下方の筆記面近傍に配置されるように把持される。この状態では、消去部材である口先部材３の突出部３ｆが、筆記部５ａよりも先に筆記面に当接することになり、擦過動作によって筆跡を消去することが可能となる。
【００３５】
筆記具１によれば、口先部材３の突出部３ｆを消去部材として利用することから、筆記面に対して十分な接触面積を得ることができる。また、筆記具１によれば、擦過動作時には、筆記動作時と同様に筆記具１を把持することから、安定した擦過動作が可能になる。また、筆記動作から擦過動作へ切り替える際の筆記具１の持ち替え動作は、単に筆記具１を軸線周りに回転させるように軽く持ち替えるだけであることから、最小限である。すなわち、筆記具１によれば、筆記部５ａを突出させた状態で擦過動作を行うことができることから、ノック操作を行う必要は無く、また筆記具を回転させるような持ち替え動作を行う必要は無い。同様に、擦過動作から筆記動作へ切り替える際の筆記具１の持ち替え動作も、最小限で済ませることができる。
【００３６】
さらに、筆記具１を把持する位置を適切にすることによって、筆記具１を軸線周りに回転させることなく、筆記具１の筆記面に対する傾斜角や傾斜方向を僅かに変化させることによって、筆記動作及び擦過動作間の切り替えを行うことも可能である。すなわち、腕や手首の角度を僅かに変化させることによって、筆記部５ａが筆記面に当接するようにすることができると共に口先部材３の突出部３ｆが筆記面に当接するようにすることもできる。
【００３７】
また、筆記具１の口先部材３は、突出部３ｆを有するにもかかわらず、傾斜面３ｅを有していることから、特に筆記動作時に、筆記部５ａの先端の視認性が損なわれることがない。すなわち、筆記具１の使用者は、口先部材３の傾斜面３ｅの部分を介して、筆記部５ａの先端を見ながら筆跡を確認しつつ筆記を行うことができる。
【００３８】
図６は、本発明の第２実施形態による筆記具２０の筆記状態の縦断面図である。第２実施形態による筆記具２０は、口先部材の形状においてのみ、第１実施形態による筆記具１と異なる。図７は、図６の筆記具２０の口先部材２３の斜視図であり、図８は、図７の口先部材２３の縦断面図である。
【００３９】
筆記具２０の口先部材２３は、第１実施形態による筆記具１の口先部材３と同様に、貫通孔２３ａと、軸筒２と螺合する筒状の基部２３ｂと、基部２３ｂの前方に設けられた消去部２３ｃとを有している。また、消去部２３ｃは、前方へ向かって先細で且つ前端面２３ｄを有する略截頭円錐状の外形を有している。略截頭円錐状の消去部３ｃの外周面には、軸線、すなわち筆記具２０の軸線に対して傾斜する傾斜面２３ｅが形成されている。その結果、傾斜面２３ｅは、口先部材２３、すなわち消去部２３ｃにおいて、軸線方向前方に向かって延在する突出部２３ｆを画成している。そして、筆記部５ａが突出する口先部材２３の貫通孔２３ａは、傾斜面２３ｅに形成されている。言い換えると、口先部材２３の前端部より外れた箇所に、貫通孔２３ａが形成されており、従って、突出部２３ｆは、貫通孔２３ａを越えて前方へ延在している。
【００４０】
筆記具２０の口先部材２３が第１実施形態による筆記具１の口先部材３と異なる点は、前端面２３ｄに、貫通孔２３ａに合流する貫通前端孔２３ｇが形成されている点である。すなわち、貫通前端孔２３ｇが形成されることによって、口先部材２３の突出部２３ｆが中空になることから、突出部２３ｆは変形しやすくなる。なお、口先部材２３の前端面２３ｄに、貫通前端孔２３ｇの代わりに貫通しない凹部を形成するようにしてもよい。
【００４１】
筆記具２０の口先部材２３に貫通前端孔２３ｇが別途形成されていることによって、上述した第１実施形態による筆記具１による効果に加え、さらなる効果を奏する。すなわち、擦過動作時に、より小さい荷重でも消去部２３ｃの突出部２３ｆを変形させることができることから、筆記面に対するより大きな接触面積を得ることができ、より広い面積を消去することが可能となる。
【００４２】
上述した実施形態において、口先部材の突出部は、軸線方向において、貫通孔から突出する筆記部５ａの先端を越えることなくその近傍まで延在している限りにおいて、任意の形状であってもよい。従って、例えば突出部の前端部を平坦な端面ではなく、球状に形成してもよく、また、円錐状に形成してもよい。
【００４３】
上述した実施形態において、筆記具はいわゆるノック式の筆記具であったが、操作部を必要としないキャップ式の筆記具であってもよい。また、口先部材の消去部の材料に対して金属粉等の導電性材料を混合することで、タッチパネル等を操作可能な静電容量式のタッチペンとしても用いることができる。
【符号の説明】
【００４４】
１    筆記具
２    軸筒
３    口先部材
３ａ    貫通孔
３ｅ    傾斜面
３ｆ    突出部
４    内筒
５    筆記体
５ａ    筆記部
６    クリップ
【図１】
2015036192.tif 000003
【図２】
2015036192.tif 000004
【図３】
2015036192.tif 000005
【図４】
2015036192.tif 000006
【図５】
2015036192.tif 000007
【図６】
2015036192.tif 000008
【図７】
2015036192.tif 000009
【図８】
2015036192.tif 000010